【手続補正書】
【提出日】平成18年8月29日(2006.8.29)
【手続補正１】
【補正対象書類名】特許請求の範囲
【補正対象項目名】請求項１
【補正方法】変更
【補正の内容】
【請求項１】
インサートモールドされた接点ブロックと、この接点ブロックをとおして延びる第１の複数の２重ビーム接点端子と、前記接点ブロックをとおして延びる第２の複数の２重ビーム接点端子とを有してなり、前記接点ブロックは、前記第２の複数の２重ビーム接点端子のそれぞれのビームの間に配置されたコネクタ凹所を有する接点組立。
【手続補正２】
【補正対象書類名】特許請求の範囲
【補正対象項目名】請求項６
【補正方法】変更
【補正の内容】
【請求項６】
各コネクタ凹所は、コネクタ凹所側壁を有し、このコネクタ凹所側壁は、第２の複数の接点端子のビームの少なくとも１つの一部分に接触し、そのてこ支点を規定する前記請求項１記載の接点組立。
【手続補正３】
【補正対象書類名】特許請求の範囲
【補正対象項目名】請求項７
【補正方法】変更
【補正の内容】
【請求項７】
ハウジングと、このハウジング内に配置される複数の接点組立とを有してなり、この接点組立は、インサートモールドされた接点ブロックと、この接点ブロックをとおして延びる第１の複数の２重ビーム接点端子と、前記接点ブロックをとおして延びる第２の複数の２重ビーム接点端子とを有し、前記接点ブロックは、前記第２の複数の２重ビーム接点端子のそれぞれのビームの間に配置されたコネクタ凹所を有するレセプタクル組立。
【手続補正４】
【補正対象書類名】特許請求の範囲
【補正対象項目名】請求項１０
【補正方法】変更
【補正の内容】
【請求項１０】
各コネクタ凹所は、コネクタ凹所側壁を有し、このコネクタ凹所側壁は、前記第２の複数の接点端子のビームの少なくとも１つの一部分に接触し、そのてこ支点を規定する前記請求項７記載の接点組立。
【手続補正５】
【補正対象書類名】特許請求の範囲
【補正対象項目名】請求項１１
【補正方法】変更
【補正の内容】
【請求項１１】
プラグであって、プラグハウジングと前記接点は接地接点及び信号接点を有し、この接地接点は前記ハウジングから第１の距離に延び、前記信号接点は前記プラグハウジングから第２の距離に延びるこのプラグハウジング内に配置された複数の接点とを有するプラグと、前記プラグに離脱可能に接続されるレセプタクルであって、レセプタクルハウジングとこのレセプタクルハウジング内に配置された複数の接点組立であって、各接点組立はインサートモールドされた接点ブロックと、前記接点ブロックをとおして延びる複数の２重ビーム信号接点端子と、前記接点ブロックをとおして延びる複数の２重ビーム接地接点端子とを有するレセプタクルとを有し、前記接点ブロックは前記第２の複数の２重ビーム接点端子のそれぞれのビーム間に配置されたコネクタ凹所を有し、このコネクタ凹所は、前記プラグの接地端子が前記レセプタクル接地接点と結合した後に、それによって前記プラグの各信号接点が前記レセプタクルの信号接点と結合することができる前記プラグにおける各接地接点の先端部を受けることができる空間を規定するレセプタクルとを有する電気コネクタ。
【手続補正６】
【補正対象書類名】特許請求の範囲
【補正対象項目名】請求項１４
【補正方法】変更
【補正の内容】
【請求項１４】
前記接点ブロックは、コネクタ凹所側壁を有するコネクタ凹所を規定し、このコネクタ凹所側壁は、てこ支点を規定するための前記レセプタクルの接地接点端子のビームの少なくとも１つの一部分に接触する前記請求項１１記載の電気コネクタ。
【手続補正７】
【補正対象書類名】特許請求の範囲
【補正対象項目名】請求項１５
【補正方法】変更
【補正の内容】
【請求項１５】
インサートモールドされた接点ブロックと、前記接点ブロックをとおして延びる複数の２重ビーム接点端子とを有してなり、前記接点ブロックは、補完的プラグにおける接点の先端部を受けるための複数の２重ビーム接点端子のそれぞれのビーム間に配置されたコネクタ凹所を有する接点組立。
【手続補正８】
【補正対象書類名】特許請求の範囲
【補正対象項目名】請求項１６
【補正方法】変更
【補正の内容】
【請求項１６】
前記接点ブロックは、コネクタ凹所側壁を有するコネクタ凹所を規定し、このコネクタ凹所側壁は、てこ支点を規定するための前記レセプタクルの接点端子のビームの少なくとも１つの一部分と接触する前記請求項１５記載の電気コネクタ。
【手続補正９】
【補正対象書類名】明細書
【補正対象項目名】発明の名称
【補正方法】変更
【補正の内容】
【発明の名称】コネクタ凹所を設けた接点組立を有する電気コネクタ
【手続補正１０】
【補正対象書類名】明細書
【補正対象項目名】０００１
【補正方法】変更
【補正の内容】
【０００１】
この発明は、電気コネクタに関する。より特別には、この発明は、コネクタ凹所を設けた接点組立を有する電気コネクタに関する。
【手続補正１１】
【補正対象書類名】明細書
【補正対象項目名】０００７
【補正方法】変更
【補正の内容】
【０００７】
この発明は、コネクタ凹所を形成した接点組立を有する電気コネクタを供給する。その接点組立にコネクタ凹所を形成することによって、この接点組立は、長さの一様でない接点を有するコネクタと結合することができる。さらに、その接点ブロックにおけるコネクタ凹所の深さを調整することによって、そのコネクタ凹所に隣接する接点端子のばね定数が調整される。その接点組立にコネクタ凹所を形成することは、また、コネクタ凹所を形成した接点組立を有する電気コネクタと他の電気コネクタとの間になされる適切な電気接続のために、充分な接点拭取りを供与する。
【手続補正１２】
【補正対象書類名】明細書
【補正対象項目名】０００８
【補正方法】変更
【補正の内容】
【０００８】
この発明は、何にもまして、一実施例において、インサートモールドされた接点ブロックと、各接地接点端子の一部分が前記接点ブロック内の収納される形状の領域を有する場合に前記接点ブロックを通して延びる複数の２重ビーム信号接点端子と、を有する改良された接点組立を供給する。この接点ブロックは、前記第２の複数の２重ビーム接点端子のそれぞれのビーム間に配置されたコネクタ凹所を有する。
【手続補正１３】
【補正対象書類名】明細書
【補正対象項目名】００１３
【補正方法】変更
【補正の内容】
【００１３】
図１ａは、プラグコネクタ１０２が、直角プラグコネクタであるよりもむしろ垂直プラグコネクタであることを除いて、図１と同様の基板対基板装置である。この実施例は、２つの平行の電気装置１１０及び１１３間に、電気接続をなす。
【手続補正１４】
【補正対象書類名】明細書
【補正対象項目名】００１４
【補正方法】変更
【補正の内容】
【００１４】
図２は、電気装置１１０及び１１２とレセプタクルコネクタ１１００なしで図示される図１のプラグコネクタ１０２の斜視図である。図示されるように、スロット１０７が、その中にリード組立１０８を収容し整列するハウジング１０５内に形成される。しかしながら、一実施例において、ハウジング１０５はプラスチック製であり、あらゆる適切な材料が、この発明の範囲を逸脱することなく使用される。図２は、また接続ピン１３０、１３２を示している。接続ピン１３０は、コネクタ１２０を電気装置１１２に接続する。接続ピン１３２は、電気的にコネクタ１０２を電気装置１１０にレセプタクル１１００経由接続する。接続ピン１３０は、電気装置（図示せず）に対して、スルー実装または表面実装接続を供給するようにされている。
【手続補正１５】
【補正対象書類名】明細書
【補正対象項目名】００２２
【補正方法】変更
【補正の内容】
【００２２】
この発明の一概念によれば、接点ブロック１１６８は、コネクタ凹所１１９０を有する。この発明の実施例において、かつ図６に示されるように、コネクタ凹所１１９０は、接地接点１１７５Ｂの２重ビーム間に配置される。
【手続補正１６】
【補正対象書類名】明細書
【補正対象項目名】００２３
【補正方法】変更
【補正の内容】
【００２３】
この方法で、プラグ１０２がレセプタクル１１００内に挿入されたときには、そのプラグの接地接点１３２Ｂは、まず接地接点１１７５Ｂの２重ビームと接触する。このことは、上述したように、接地端子１３２Ｂが、さらに信号接点１３２Ａよりもプラグハウジング１０５から遠くに延びていることによる。その後、接点端子１３２Ｂは、接地端子１１７５Ｂの２重ビーム間に延びて、コネクタ凹所１１９０内に挿入される。より短い信号接点１３２Ａは、それから、レセプタクルの信号接点１１７５Ａと接触する。接地接点１１７５Ｂの２重ビーム間にコネクタ凹所を設けることによって、プラグ１０２のより短い信号接点１３２Ａは、接地接点１１７５Ｂが、接点ブロック１１６８において妨げず、または早く底に達してしまわない方法によって、レセプタクル１１００の信号接点１１７５Ａと結合することができる。
【手続補正１７】
【補正対象書類名】明細書
【補正対象項目名】００２４
【補正方法】変更
【補正の内容】
【００２４】
さらに、接地接点１１７５Ｂの２重ビーム間にコネクタ凹所１１９０を設けることによって、接地接点１１７５Ｂのばね定数を制御して、望ましいばね定数を供与することができる。上述したように、接地接点１１７５Ｂのばね定数は、力がそれに加えられたときに接点が移動（偏位）する距離として規定される。例証するために、接地接点１３２Ｂが接地接点１１７５Ｂ内に挿入されたときには、挿入の力は、接地接点１１７５Ｂを図６に示されたように矢印Ｆによって示された方向に偏位する。典型的には、そのような方向は、接地端子１１７５Ｂの長さに対して垂直である。接地接点１１７５Ｂのばね定数は、てこの支点１１９２によって制御される。図６及び７に示される実施例においては、てこの支点１１９２は、接地接点１１７５Ｂが接点ブロック１１６８と接触して、接点が２重ビーム接地接点内に挿入されるときに、てこの支点として作用するコネクタ凹所側壁１１８９の最上位の点である。例えば、一実施例において、コネクタ凹所を形成するために用いられる工作機械器具は、この側壁のてこ支点を形成するために用いられた工作機械器具とは独立して調整される。例えば、これらの仕様書のそれぞれは、顧客の仕様書それぞれに対応している。
【手続補正１８】
【補正対象書類名】明細書
【補正対象項目名】００２５
【補正方法】変更
【補正の内容】
【００２５】
この発明の一実施例において、接点ブロック１１６８及びコネクタ凹所１１９０は、インサートモールドを用いて形成される。この方法において、図８に示されるように、打ち抜かれた接点端子８００の１列が、モールドキャビティ内に挿入され、コネクタ凹所ピンが使用されて端子の列を収容し、かつ正確な配置に位置する。このコネクタ凹所ピンは、また、コネクタ凹所１１９０を形成するために使用されるが、以下に、より詳細に記述される。
【手続補正１９】
【補正対象書類名】明細書
【補正対象項目名】００２６
【補正方法】変更
【補正の内容】
【００２６】
その後、一旦接点及びコネクタ凹所ピンが配置されると、溶融したプラスチックがモールドキャビティ内に射出され、接点及びコネクタ凹所ピンの周囲を形成することができる。溶融プラスチックはそれから冷却され、コネクタ凹所ピン及び型は取り除かれる。その結果は、望ましい位置と深さを有するコネクタ凹所１１９０を有するとともに、接点列を収納するプラスチック接点ブロックである。
【手続補正２０】
【補正対象書類名】明細書
【補正対象項目名】００２７
【補正方法】変更
【補正の内容】
【００２７】
また、意図されていることは、接点ブロック１１６８におけるコネクタ凹所１１９０の深さを変更することが、望ましい接点拭取りのために備えることである。接点拭取りは、コネクタが結合されるときに同時でない接点結合において生じる電気装置内に存在する湾曲ができるために使用される変更パラメータである。この方法で、コネクタ凹所の深さを増大することは、より大きな接点拭取りができる。
【手続補正２１】
【補正対象書類名】明細書
【補正対象項目名】００２８
【補正方法】変更
【補正の内容】
【００２８】
一実施例において、コネクタ凹所の個別のセットが、コネクタ凹所ピンを用いて接点ブロック内に形成される。この方法において、そのコネクタ凹所ピンは、接点列の中心において、かつ、所定の深さ及び位置を有する接点ブロック内に不連続のコネクタ凹所において生じる所定の深さ及び位置において、個別の位置に配置される。再度、一実施例において、それらのコネクタ凹所は、図６に示されるように接地接点１１７５Ｂの２重ビーム間に配置され、プラグコネクタ１０２の接地接点１３２Ｂを受けるようにされる。
【手続補正２２】
【補正対象書類名】明細書
【補正対象項目名】００２９
【補正方法】変更
【補正の内容】
【００２９】
この発明の他の実施例において、コネクタ凹所ピンが使用されて、所望の深さ及び位置を有する１つの連続するコネクタ凹所内に生じる所定の深さ及び位置の接点列の中心をとおして連続する開口区分を創り出す。そのような実施例が、図９及び１０に示されている。図９及び１０に示されるように、単一コネクタ凹所１１９０Ａは、接点ブロック１１６８Ａの中心に沿って延びている。加えて、コネクタ凹所１１９０Ｂは、隣接する端子８０５Ａ及び８０５Ｂ間に形成される。
【手続補正２３】
【補正対象書類名】明細書
【補正対象項目名】００３３
【補正方法】変更
【補正の内容】
【００３３】
図１１は、この発明の他の実施例によるコネクタ装置１３１８の斜視図である。図示されるように、コネクタ１３１０及びレセプタクル１１５０は、組み合わせて使用されて、ケーブル１１２５に対する回路基板１１０５のような電気装置を接続する。特に、コネクタ１３１０が、レセプタクル１１５０と結合するときには、電気接続は、基板１３０５とケーブル１３２５との間に確立される。ケーブル１３２５は、それからそのような信号を受けるために適切である信号をあらゆる電気装置（図示せず）に伝送することができる。  
【手続補正２４】
【補正対象書類名】図面
【補正対象項目名】図１１
【補正方法】変更
【補正の内容】
【図１１】
2005537614.tif 000001